(57)【要約】【課題】  トレイパネルを先端に備えたディスクトレイが出退する開口の周囲の壁面形状に係わりなく、トレイパネルのオフセット問題を改善する。【解決手段】  筐体の前面壁３１の開口３２を出退するディスクトレイ５にトレイパネル１を装備する。開口３２の閉じたトレイパネル１が位置ずれすることを防ぐオフセンター防止機構を有する。オフセンター防止機構が、開口３２の口縁辺部の定位置に設けた位置規制部７と、トレイパネル１の閉動時に位置規制部７と摺動してトレイパネル１を適正位置に案内する傾斜案内面８とを備える。位置規制部７をコ字形辺部によって形成し、傾斜案内面８をトレイパネル１に設けたリブ８５に具備させる。【選択図】        図７
2006134414.tif 000002
【特許請求の範囲】
【請求項１】
ディスク搬入出用のディスクトレイを備えたディスク装置本体を収容している筐体の前面壁に上記ディスクトレイが出退される開口が備わり、上記ディスクトレイに、このディスクトレイの出退動作を通じて上記開口を開閉するためのトレイパネルが装備されていると共に、トレイパネルによる開口の閉時にそのトレイパネルが開口に対して位置ずれすることを防ぐオフセンター防止機構を有するディスク装置において、
上記開口が上記前面壁に形成されて上記トレイパネルによる開口の閉時にそのトレイパネルを収容する凹所の奥壁部に形成され、その凹所の奥壁部とその凹所の周壁部とが略直角に交差して入隅部を形成しており、
上記オフセンター防止機構が、上記開口の口縁辺部の定位置に設けられた位置規制部と、上記トレイパネルに設けられて上記ディスクトレイの後退動作に伴うトレイパネルの閉動時に上記位置規制部と摺動してそのトレイパネルを適正位置に案内する傾斜案内面とを備えていて、
上記位置規制部が、上記開口の左右の口縁辺部の高さ方向中央部に相対向して設けられた一対の規制要素によって形成され、それらの規制要素のそれぞれが、上下方向で対向する一対の平行な第１辺とそれらの第１辺に直交する１つの第２辺とを有するコ字形辺部によって形成されているのに対し、
上記傾斜案内面が、一対の上記規制要素に各別に対応して上記トレイパネルの左右の各端部に設けられたリブに具備されてその規制要素の一対の第１辺と摺動する後窄まり形状の第１傾斜面とその規制要素の上記第２辺と摺動する第２傾斜面とにより形成され、左右の上記リブのそれぞれの第２傾斜面が後窄まり形状に形作られているいることを特徴とするディスク装置。
【請求項２】
ディスク搬入出用のディスクトレイを備えたディスク装置本体を収容している筐体の前面壁に上記ディスクトレイが出退される開口が備わり、上記ディスクトレイに、このディスクトレイの出退動作を通じて上記開口を開閉するためのトレイパネルが装備されていると共に、トレイパネルによる開口の閉時にそのトレイパネルが開口に対して位置ずれすることを防ぐオフセンター防止機構を有するディスク装置において、
上記オフセンター防止機構が、上記開口の口縁辺部の定位置に設けられた位置規制部と、上記トレイパネルに設けられて上記ディスクトレイの後退動作に伴うトレイパネルの閉動時に上記位置規制部と摺動してそのトレイパネルを適正位置に案内する傾斜案内面とを備えていることを特徴とするディスク装置。
【請求項３】
上記位置規制部が、上記開口の上下の口縁辺部によって形成された第１規制要素と、上記開口の左右の口縁辺部によって形成された第２規制要素とによって形成され、上記傾斜案内面が、上記トレイパネルに設けられた上下の各リブに具備されて上記第１規制要素と摺動する後窄まり形状の第１傾斜面と、上記トレイパネルに設けられた左右の各リブに具備されて上記第２規制要素と摺動する後窄まり形状の第２傾斜面とによって形成されている請求項２に記載したディスク装置。
【請求項４】
上記位置規制部が、上記開口の左右の口縁辺部に相対向して設けられた一対の規制要素によって形成され、それらの規制要素のそれぞれが、上下方向で対向する一対の平行な第１辺とそれらの第１辺に直交する１つの第２辺とを有するコ字形辺部によって形成され、
上記傾斜案内面が、一対の上記規制要素に各別に対応して設けられたリブに具備されてその規制要素の一対の第１辺と摺動する後窄まり形状の第１傾斜面とその規制要素の上記第２辺と摺動する第２傾斜面とにより形成され、左右の上記リブのそれぞれの第２傾斜面が後窄まり形状に形作られている請求項２に記載したディスク装置。
【請求項５】
上記開口が上記前面壁に形成されて上記トレイパネルによる開口の閉時にそのトレイパネルを収容する凹所の奥壁部に形成され、その凹所の奥壁部とその凹所の周壁部とが略直角に交差して入隅部を形成している請求項３又は請求項４に記載したディスク装置。
【発明の詳細な説明】
【技術分野】
【０００１】
本発明は、ディスク装置、特に、筐体の前面壁に、その筐体に収容されたディスク装置本体のディスクトレイが出退される開口が備わっていると共に、その開口を開閉するトレイパネルがディスクトレイに装着されているディスク装置に関する。
【背景技術】
【０００２】
この種のディスク装置のように、筐体に収容されているディスク装置本体のディスクトレイにトレイパネルが装着されているディスク装置では、ディスクトレイの後退動作によって筐体の前面壁の開口がトレイパネルによって閉じられたときに、トレイパネルが開口に対して適正位置から位置ずれして外観が損なわれるという事態が起こり得る。そして、このようなトレイパネルの位置ずれについての問題（以下「オフセンター問題」という）は、筐体に対するディスク装置本体の取付精度の公差、ディスク装置自体でのディスクトレイの取付精度の公差、筐体の前面壁に設けられる開口の位置精度の公差といった種々の要因が積み重なって起こることが判っている。
【０００３】
そこで、オフセンター問題を改善するために、ディスク装置本体やディスクトレイ、トレイパネルなどの形状修正を行うという対策や、筐体の前面壁の開口の周囲複数箇所（たとえば６箇所）に設けたリブによってトレイパネルを位置決めするという対策などが考えられたけれども、それらの対策はいずれも高精度の寸法出しが要求されるものであるために、実用的には大きな困難が伴うものと予想された。
【０００４】
一方、上記オフセンター問題を改善するための対策については、従来より種々提案がなされている（特許文献１又は特許文献２参照）。これらの特許文献１、２によって提案されている対策は、フロントパネル（前面壁に相当する）のトレー出入口（開口に相当する）をそのフロントパネルに形成した凹所の奥壁部に形成し、その奥壁部とその凹所の周壁部とによって形作られる入隅部を樹脂で埋めることによって後窄まりの傾斜面を形成し、その傾斜面によってトレイパネルに相当する部材をその閉動時に適正位置に案内して誘導させようとしたものに相当している。
【０００５】
また、トレーに装着されたトレイカバー（トレイパネルに相当する）が開口を閉じるときの衝撃音を軽減する技術や、フロントパネル側に開口を開閉するための部材を取り付けることなども従来より公知である（特許文献３、特許文献４、特許文献５、特許文献６参照）。
【特許文献１】特開２００２−３５８７７０号公報
【特許文献２】特開２００３−３０９１５号公報
【特許文献３】特開２００３−９１９８２号公報
【特許文献４】実用新案登録第３１００４８２号公報
【特許文献５】特開２０００−２６８５５２号公報
【特許文献６】特開平１０−２２８７０３号公報
【発明の開示】
【発明が解決しようとする課題】
【０００６】
しかしながら、筐体の前面壁の開口の周囲複数箇所にリブを設けるという対策を講じたり、特許文献１や特許文献２のように凹所の奥壁部に形成された開口の周囲に傾斜面を具備させることによってオフセット問題を改善するものでは、リブや傾斜面などの寸法取りに高精度が要求され、仮にその精度が低いと、トレイパネルが開口に対して位置ずれしてしまうという問題がある。また、前面壁にリブを設けたり開口の周囲に傾斜面を具備させるという対策には、フロントパネルなどのもともと複雑な形状の成形金型の設計をさらに変更することを余儀なくされるためにコスト高になるおそれがある。
【０００７】
さらに、ディスク装置の外観デザインによっては、開口の周囲を傾斜面としてトレイパネルを適正位置に案内して誘導させるという対策を講じることが不可能なこともある。たとえば、前面壁の開口の周囲にトレイパネルが見栄えよく収まる凹所を形成したい場合には、その凹所の周囲の入隅部分を直角に仕上げたいことがあり、その場合には、その凹所の入隅部を樹脂で埋めて傾斜面とするという対策を講じることができない。
【０００８】
本発明は以上の状況の下でなされたものであり、ディスク搬入出用のディスクトレイを備えたディスク装置本体を収容している筐体の前面壁に上記ディスクトレイが出退される開口が備わり、上記ディスクトレイに、このディスクトレイの出退動作を通じて上記開口を開閉するためのトレイパネルが装備されているという構成を備えたディスク装置において、前面壁側に特別な対策を講じることなく、主にトレイパネル側に小さなリブを設けるという対策を講じるだけで上記したオフセット問題を改善することのできるディスク装置を提供することを目的とする。
【０００９】
また、本発明は、上記ディスク装置において、前面壁の形状に微細な変更を加えた上で、トレイパネル側に小さなリブを設けるという対策を講じるだけで上記したオフセット問題を改善することのできるディスク装置を提供することを目的とする。
【００１０】
さらに、本発明は、前面壁の開口の周囲にトレイパネルを見栄えよく収容することのできる凹所を形成するためにその凹所の周囲の入隅部分を直角に仕上げたいという場合に好適に採用することのできる対策を講じたディスク装置を提供することを目的とする。
【課題を解決するための手段】
【００１１】
本発明に係るディスク装置は、ディスク搬入出用のディスクトレイを備えたディスク装置本体を収容している筐体の前面壁に上記ディスクトレイが出退される開口が備わり、上記ディスクトレイに、このディスクトレイの出退動作を通じて上記開口を開閉するためのトレイパネルが装備されていると共に、トレイパネルによる開口の閉時にそのトレイパネルが開口に対して位置ずれすることを防ぐオフセンター防止機構を有するディスク装置において、上記オフセンター防止機構が、上記開口の口縁辺部の定位置に設けられた位置規制部と、上記トレイパネルに設けられて上記ディスクトレイの後退動作に伴うトレイパネルの閉動時に上記位置規制部と摺動してそのトレイパネルを適正位置に案内する傾斜案内面とを備えている、というものである。
【００１２】
この発明において、トレイパネル側の傾斜案内面を案内してそのトレイパネルを適正位置に案内して誘導するための位置規制部は、筐体の前面壁に設けられるものではあるけれども、それを形成する箇所はその前面壁のうちの開口の口縁辺部という成形金型の形状変更が容易な箇所に限定されているので、特許文献１や特許文献２のようにフロンパネルの開口の凹所の入隅部を樹脂で埋めて傾斜面を形成するというものに比べて容易にかつ安価にその対策を講じることが可能になる。特に、位置規制部の形成箇所を開口の口縁辺部に限定したことによって開口の周囲の形状変更を行う必要がなくなるので、たとえば、前面壁の開口の周囲にトレイパネルを見栄えよく収容することのできる凹所を形成するためにその凹所の周囲の入隅部分を直角に仕上げたいという要求にも応えることが容易に可能である。言い換えると、この発明によれば、位置規制部の形成箇所を開口の口縁辺部に限定したことによって開口の周囲の壁面形状がどのような形状であっても、その形状に係わりなくオフセンター問題が改善されるという卓越した作用が発揮される。そして、この発明によれば、トレイパネルの閉動時にトレイパネル側の傾斜案内面が開口の口縁辺部の位置規制部により案内されてトレイパネルが適正位置に誘導され、閉時のトレイパネルの開口に対する位置ずれが生じにくくなってトレイパネルの閉時の筐体の外観が良好になる。
【００１３】
本発明において、上記位置規制部の構成には種々の態様を採用することが可能であり、また、上記傾斜案内面の構成には、位置規制部の構成に応じた種々の構成を採用することが可能である。そこで、本発明では、以下の２つの具体的構成を開示している。
【００１４】
その１つは、上記位置規制部が、上記開口の上下の口縁辺部によって形成された第１規制要素と、上記開口の左右の口縁辺部によって形成された第２規制要素とによって形成され、上記傾斜案内面が、上記トレイパネルに設けられた上下の各リブに具備されて上記第１規制要素と摺動する後窄まり形状の第１傾斜面と、上記トレイパネルに設けられた左右の各リブに具備されて上記第２規制要素と摺動する後窄まり形状の第２傾斜面とによって形成されている、というものである。この構成を採用すると、位置規制部が開口の上下又は左右の口縁辺部によって形成されているので、筐体の前面壁には実際上何らの対策を講じる必要がない。加えて、トレイパネル側には上下のリブと左右のリブとを設けるだけで済み、そのようなリブはトレイパネル成形金型にわずかな設計変更を加えるだけで容易にかつ安価に形成することができるという利点がある。
【００１５】
他の１つは、上記位置規制部が、上記開口の左右の口縁辺部に相対向して設けられた一対の規制要素によって形成され、それらの規制要素のそれぞれが、上下方向で対向する一対の平行な第１辺とそれらの第１辺に直交する１つの第２辺とを有するコ字形辺部によって形成され、上記傾斜案内面が、一対の上記規制要素に各別に対応して設けられたリブに具備されてその規制要素の一対の第１辺と摺動する後窄まり形状の第１傾斜面とその規制要素の上記第２辺と摺動する第２傾斜面とにより形成され、左右の上記リブのそれぞれの第２傾斜面が後窄まり形状に形作られている、というものである。この構成であると、トレイパネル側に設けることを要するリブの数が少なくて済むので、このものにおいても、トレイパネル成形金型にわずかな設計変更を加えるだけで容易にリブを形成することができるという利点がある。なお、この発明においても、位置規制部が開口の上下又は左右の口縁辺部によって形成されているので、筐体の前面壁には実際上何らの対策を講じる必要がない。
【００１６】
さらに、本発明では、上記開口が上記前面壁に形成されて上記トレイパネルによる開口の閉時にそのトレイパネルを収容する凹所の奥壁部に形成され、その凹所の奥壁部とその凹所の周壁部とが略直角に交差して入隅部を形成している、という構成を採用することが可能である。これは、位置規制部が開口の上下又は左右の口縁辺部によって形成されているので、開口の周囲の壁面形状がどのような形状であっても、その形状に係わりなくオフセンター問題が改善されるという作用が発揮されることによる。そして、この構成を採用することによって、閉時のトレイパネルが開口に対して位置ずれすることなく適正位置で上記凹所に収容されて前面壁ひいては筐体の外観が良好に保たれる。
【００１７】
また、本発明に係るディスク装置は、以下の構成を採用することによっていっそう具体化される。すなわち、ディスク搬入出用のディスクトレイを備えたディスク装置本体を収容している筐体の前面壁に上記ディスクトレイが出退される開口が備わり、上記ディスクトレイに、このディスクトレイの出退動作を通じて上記開口を開閉するためのトレイパネルが装備されていると共に、トレイパネルによる開口の閉時にそのトレイパネルが開口に対して位置ずれすることを防ぐオフセンター防止機構を有するディスク装置において、上記開口が上記前面壁に形成されて上記トレイパネルによる開口の閉時にそのトレイパネルを収容する凹所の奥壁部に形成され、その凹所の奥壁部とその凹所の周壁部とが略直角に交差して入隅部を形成しており、上記オフセンター防止機構が、上記開口の口縁辺部の定位置に設けられた位置規制部と、上記トレイパネルに設けられて上記ディスクトレイの後退動作に伴うトレイパネルの閉動時に上記位置規制部と摺動してそのトレイパネルを適正位置に案内する傾斜案内面とを備えていて、上記位置規制部が、上記開口の左右の口縁辺部の高さ方向中央部に相対向して設けられた一対の規制要素によって形成され、それらの規制要素のそれぞれが、上下方向で対向する一対の平行な第１辺とそれらの第１辺に直交する１つの第２辺とを有するコ字形辺部によって形成されているのに対し、上記傾斜案内面が、一対の上記規制要素に各別に対応して上記トレイパネルの左右の各端部に設けられたリブに具備されてその規制要素の一対の第１辺と摺動する後窄まり形状の第１傾斜面とその規制要素の上記第２辺と摺動する第２傾斜面とにより形成され、左右の上記リブのそれぞれの第２傾斜面が後窄まり形状に形作られているいる、という構成を採用することによっていっそう具体化される。なお、この発明の構成は、上記した他の１つの具体的構成をさらに具体化したものに相当している。
【発明の効果】
【００１８】
本発明によれば、ディスク搬入出用のディスクトレイを備えたディスク装置本体を収容している筐体の前面壁に上記ディスクトレイが出退される開口が備わり、上記ディスクトレイに、このディスクトレイの出退動作を通じて上記開口を開閉するためのトレイパネルが装備されているという構成を備えたディスク装置において、主にトレイパネル側に小さなリブを設けるという対策を講じるだけで冒頭に記載したオフセット問題を改善することが可能になるので、筐体の外観がトレイパネルの位置ずれによって損なわれるという事態の起こりにくいディスク装置を安価に提供することが可能になる。
【００１９】
特に、位置規制部の形成箇所を開口の口縁辺部に限定したことによって開口の周囲の形状変更を行う必要がなくなるので、たとえば、前面壁の開口の周囲にトレイパネルを見栄えよく収容することのできる凹所を形成するためにその凹所の周囲の入隅部分を直角に仕上げたいという要求にも応えることが容易に可能であるという卓越した効果が奏される。
【発明を実施するための最良の形態】
【００２０】
図１〜図５は第１実施形態を示したものであり、図１はトレイパネル１の後面図、図２は要部の横断平面図、図３は要部の縦断側面図、図４は図２のＩＶ部拡大図、図５は図３のＶ部拡大図である。また、図１１は開口３２を閉じているトレイパネル１を示した部分正面図である。
【００２１】
図１に示したトレイパネル１は、横長矩形に形成されていて、その後面側にディスクトレイ（図１において不図示）の前端に装着するための取付用リブ機構１２を備えている。そして、図２又は図３のようにその取付用リブ機構１２を利用してディスクトレイ５の前端に動かないように装着されている。
【００２２】
ディスクトレイ５は、記録媒体としてのディスクを、図示していないディスク装置本体に対して搬入出する作用を行う。そして、ディスクトレイ５によってディスクがディスク装置本体に搬入された後、ディスク装置本体の機能によってディスクに対して記録／再生が処理が行われる。ディスクトレイ５を備えたディスク装置本体は、図２又は図３に示した前面壁３１を有する偏平な箱形筐体の内部の定位置に収容されている。また、筐体は、前面壁３１を備えるフロントパネル３を、図示していないボトムケースとトップカバーとを合わせてなる前面開放の筐体本体（不図示）の前端部に嵌め込んでビス止めすることによって形成されている。そして、フロントパネル３の前面壁３１、すなわち筐体の前面壁３１には図２又は図３のように横長矩形の開口３２が備わっていて、ディスクトレイ５がディスクを搬入出するときにはディスクトレイ５がこの開口３２を通して出退し、ディスクトレイ５の後退動作を通じてトレイパネル１が開口３２をその外側から閉じるのに対し、ディスクトレイ５の突出動作を通じてトレイパネル１が開口３２からその前方へ離れて開口３２を開く。
【００２３】
図例のディスク装置において、開口３２は、前面壁３１に形成された横長矩形の凹所３３の奥壁部３４に形成されていて、図１１のように、その開口３２の大きさは、凹所３３のそれよりも少し小さく、なおかつ、開口３２が凹所３３の中央部に位置している。また、図２及び図３を併せ見ることによって判るように、凹所３３は、開口３２が形成されている奥壁部３４とそ周壁部３５とで囲まれた空間により形成されていて、しかも、奥壁部３４と周壁部３５とは略直角に交差して角張った入隅部３６を形成している。したがって、トレイパネル１が開口３２を閉じているときには、そのトレイパネル１が凹所３３に収容されている。
【００２４】
このディスク装置において、オフセンター防止機構は、前面壁３１の開口３２の口縁辺部の定位置に設けられた位置規制部７と、トレイパネル１に設けられて上記ディスクトレイ５の後退動作に伴うトレイパネル１の閉動時に上記位置規制部７と摺動してそのトレイパネル５を適正位置に案内する傾斜案内面８とを備えている。以下、位置規制部７及び傾斜案内面８の具体的態様を説明する。
【００２５】
図２又は図３に示したように、位置規制部７は、前面壁３１に形成されている矩形の開口３２の上下の口縁辺部によって形成された第１規制要素７１と、開口３２の左右の口縁辺部によって形成された第２規制要素７２とによって形成されている。さらに具体的に説明すると、開口３２の上下の口縁辺部は矩形の開口３２の上辺及び下辺に相当し、左右の口縁辺部は矩形の開口３２の左辺及び右辺に相当していて、第１規制要素７１には上辺及び下辺の左右の端部近傍箇所に位置する領域がそれぞれ相当し（図３参照）、第２規制要素７２には左辺及び右辺の縦方向中央部に位置する領域がそれぞれ相当している（図２参照）。したがって、第１規制要素７１や第２規制要素７２は、開口３２の上辺及び下辺に何らの成形を加えることなく形成されている。これに対し、傾斜案内面８は、図１に示したように、トレイパネル１に設けられた上下の各リブ８１に具備されて上下の上記第１規制要素７１と摺動する後窄まり形状の第１傾斜面８２と、トレイパネル１に設けられた左右の各リブ８３に具備されて左右の上記第２規制要素７２と摺動する後窄まり形状の第２傾斜面８４とによって形成されている。ここで、第１傾斜面８２の後窄まり形状は、上側のリブ８１に形成されている傾斜面と下側のリブ８１に形成されている傾斜面とによって形作られている形状であり、第２傾斜面８４の後窄まり形状は、左側のリブ８３に形成されている傾斜面と右側のリブ８３に形成されている傾斜面とによって形作られている形状である。
【００２６】
以上の構成を備えるディスク装置では、ディスクトレイ５の後退動作によって筐体の前面壁３１の開口３２がトレイパネル１によって閉じられたときに、位置規制部７と傾斜案内面８とが共働してトレイパネル１を開口３２に対して位置合わせする作用（以下「位置合わせ作用」という）を発揮するので、トレイパネル１が開口３２に対して適正位置から位置ずれするというオフセット問題が起こりにくくなる。この点を図４又は図５を参照して説明する。
【００２７】
図４には、ディスクトレイ５の後退動作によって右方向に位置ずれした状態で矢印Ａのように凹所３３に引き込まれてきたトレイパネル１を仮想線で示している。この状況下では、右側のリブ８３の第２傾斜面８４が、開口３２の右辺によって形成されている第２規制要素７２に当接した後、その第２規制要素７２と摺動して矢印Ｂのようにトレイパネル１の全体を左方に変位させる。こうしてトレイパネル１の全体が左方に変位すると、それに伴って左側のリブ８３の第２傾斜面８４（図１参照）が、開口３２の左辺によって形成されている第２規制要素７２（図２参照）に当接する。そして、左右の各リブ８３に設けられている第２傾斜面８４が後窄まり形状を形作っているために、左右の第２傾斜面８４が左右の第２規制要素７２に当接することによって、トレイパネル１が開口３２に対して左右方向で適正位置に位置決めされる。すなわち、図２に示した開口３２の中心線Ｌ１とトレイパネル１の中心線Ｌ２とが一致する。図示していないけれども、ディスクトレイ５の後退動作によって左方向に位置ずれした状態でトレイパネル１が凹所３３に引き込まれてきたときには、左側のリブ８３の第２傾斜面８４が、開口３２の左辺によって形成されている第２規制要素７２に当接した後、その第２規制要素７２と摺動してトレイパネル１の全体を右方に変位させ、それに伴って右側のリブ８３の第２傾斜面８４が、開口３２の右辺によって形成されている第２規制要素７２に当接するので、左右の第２傾斜面８４が左右の第２規制要素７２に当接してトレイパネル１が開口３２に対して左右方向で適正位置に位置決めされる（図１又は図２参照）。
【００２８】
これに対し、図５には、ディスクトレイ５の後退動作によって下方向に位置ずれした状態で矢印Ａのように凹所３３に引き込まれてきたトレイパネル１を仮想線で示している。この状況下では、下側のリブ８１の第１傾斜面８２が、開口３２の下辺によって形成されている第１規制要素７１に当接した後、その第１規制要素７１と摺動して矢印Ｃのようにトレイパネル１の全体を上方に押し上げて変位させる。こうしてトレイパネル１の全体が上方に変位すると、それに伴って上側のリブ８１の第１傾斜面８２（図３参照）が、開口３２の上辺によって形成されている第１規制要素７１（図３参照）に当接する。そして、上下の各リブ８１に設けられている第１傾斜面８２が後窄まり形状を形作っているために、上下の第１傾斜面８２が上下の第１規制要素７１に当接することによって、トレイパネル１が開口３２に対して上下方向で適正位置に位置決めされる。すなわち図１１に示した開口３２の基準水平線Ｌ３とトレイパネル１の基準水平線Ｌ４とが一致する。図示していないけれども、ディスクトレイ５の後退動作によって上方に位置ずれした状態でトレイパネル１が凹所３３に引き込まれてきたときには、上側のリブ８１の第１傾斜面８２が、開口３２の上辺によって形成されている第１規制要素７１に当接した後、その第１規制要素７１と摺動してトレイパネル１の全体を下方に押し下げて変位させ、それに伴って下側のリブ８１の第１傾斜面８２が、開口３２の下辺の第１規制要素７１に当接するので、上下の第１傾斜面８２が上下の第１規制要素７１に当接してトレイパネル１が開口３２に対して上下方向で適正位置に位置決めされる（図３参照）。
【００２９】
したがって、トレイパネル１は、左右又は上下のどの方向に位置ずれしていても、開口３２の閉時には、第１及び第２の規制要素７１，７２でなる位置規制部７と、第１及び第２の傾斜面８２，８４でなる傾斜案内面８との共働による位置合わせ作用が行われてトレイパネル１が開口３２に対して適正位置に配備されるようになり、そのことがトレイパネル１の閉時に筐体の外観を良好に保つことに役立つ。
【００３０】
図６〜図１０は第２実施形態を示したものであり、図６はトレイパネル１の後面図、図７は要部の横断平面図、図８は図７のＶＩＩＩ−ＶＩＩＩ線に沿う部分の縦断側面図、図９は図７のＩＸ部拡大図、図１０は図８のＸ部拡大図である。
【００３１】
この第２実施形態では、オフセット機構の具体的構成だけが既述した第１実施形態のそれと異なっている。したがって、図６〜図１０では図１〜図５で説明した部分と同一部分に同一符号を付してある。
【００３２】
このディスク装置においても、オフセンター防止機構は、前面壁３１の開口３２の口縁辺部の定位置に設けられた位置規制部７と、トレイパネル１に設けられて上記ディスクトレイ５の後退動作に伴うトレイパネル１の閉動時に上記位置規制部７と摺動してそのトレイパネル５を適正位置に案内する傾斜案内面８とを備えている。以下、位置規制部７及び傾斜案内面８の具体的構成は次の通りである。
【００３３】
図７のように、位置規制部７は、開口３２の左右の口縁辺部に相対向して設けられた一対の規制要素７５によって形成されている。そして、図９又は図１０で判るように、それらの規制要素７５のそれぞれは、上下方向で対向する一対の平行な第１辺７６とそれらの第１辺７６に直交する１つの第２辺７７とを有するコ字形辺部によって形成されている。これに対し、傾斜案内面８は、一対の規制要素７５に各別に対応して設けられたリブ８５に具備されてその規制要素７５の一対の第１辺７６と摺動する後窄まり形状の第１傾斜面８６とその規制要素７５の第２辺７７と摺動する第２傾斜面８７とにより形成されている。そして、左右のリブ８５のそれぞれの第２傾斜面８７が後窄まり形状に形作られている。
【００３４】
以上の構成を備えるディスク装置でも、ディスクトレイ５の後退動作によって筐体の前面壁３１の開口３２がトレイパネル１によって閉じられたときに、位置規制部７と傾斜案内面８とが共働してトレイパネル１が開口３２に対して位置合わせされるので、トレイパネル１が開口３２に対して適正位置から位置ずれするというオフセット問題が起こりにくくなる。この点を図９又は図１０を参照して説明する。
【００３５】
図９には、ディスクトレイ５の後退動作によって右方向に位置ずれした状態で矢印Ａのように凹所３３に引き込まれてきたトレイパネル１を仮想線で示している。この状況下では、右側のリブ８５の第２傾斜面８７が、右側の位置規制部７のコ字形辺部によって形成されている第２辺７７に当接した後、その第２辺７７と摺動して矢印Ｂのようにトレイパネル１の全体を左方に変位させる。こうしてトレイパネル１の全体が左方に変位すると、それに伴って左側のリブ８５の第２傾斜面８７（図６又は図７参照）が、左側の位置規制部７のコ字形辺部によって形成されている第２辺に当接する。そして、左右の各リブ８５の第２傾斜面８７が後窄まり形状を形作っているために、左右の第２傾斜面８７が左右の第２辺７７に当接することによって、トレイパネル１が開口３２に対して左右方向で適正位置に位置決めされる。すなわち、図７に示した開口３２の中心線Ｌ１とトレイパネル１の中心線Ｌ２とが一致する。図示していないけれども、ディスクトレイ５の後退動作によってトレイパネル１が左方向に位置ずれした状態で凹所３３に引き込まれてきた場合には、左側のリブ８５の第２傾斜面８７が、左側の位置規制部７のコ字形辺部によって形成されている第２辺に当接した後、その第２辺と摺動してトレイパネル１の全体を右方に変位させる。こうしてトレイパネル１の全体が右方に変位すると、それに伴って右側のリブ８５の第２傾斜面８７が、右側の位置規制部７のコ字形辺部によって形成されている第２辺７７に当接する。そして、左右の各リブ８５の第２傾斜面８７が後窄まり形状を形作っているために、左右の第２傾斜面８７が左右の第２辺７７に当接することによって、トレイパネル１が開口３２に対して左右方向で適正位置に位置決めされる。
【００３６】
これに対し、図１０には、ディスクトレイ５の後退動作によって下方向に位置ずれした状態で矢印Ａのように凹所３３に引き込まれてきたトレイパネル１を仮想線で示している。この状況下では、位置規制部７のコ字形辺部によって形成されている下側の第１辺７６にリブ８５の下側の第１傾斜面８６が当接した後、その第１辺７６と摺動して矢印Ｃのようにトレイパネル１の全体を上方に押し上げて変位させる。こうしてトレイパネル１の全体が上方に変位すると、それに伴ってリブ８５の上側の第１傾斜面８６が、位置規制部７のコ字形辺部によって形成されている上側の第１辺７６に当接する。そして、上下の第１傾斜面８６が後窄まり形状を形作っているために、上下の第１傾斜面８６が上下の第１辺７６に当接することによって、トレイパネル１が開口３２に対して上下方向で適正位置に位置決めされる。すなわち図１１に示した開口３２の基準水平線Ｌ３とトレイパネル１の基準水平線Ｌ４とが一致する。図示していないけれども、ディスクトレイ５の後退動作によって上方に位置ずれした状態でトレイパネル１が凹所３３に引き込まれてきたときには、位置規制部７のコ字形辺部によって形成されている上側の第１辺７６にリブ８５の上側の第１傾斜面８６が当接した後、その第１辺７６と摺動してトレイパネル１の全体を下方に押し下げて変位させる。こうしてトレイパネル１の全体が下方に変位すると、それに伴ってリブ８５の下側の第１傾斜面８６が、位置規制部７のコ字形辺部によって形成されている下側の第１辺７６に当接してトレイパネル１が開口３２に対して上下方向で適正位置に位置決めされる。
【００３７】
したがって、トレイパネル１は、左右又は上下のどの方向に位置ずれしていても、開口３２の閉時には、トレイパネル１が開口３２に対して適正位置に配備されるようになり、そのことがトレイパネル１の閉時に筐体の外観を良好に保つことに役立つ。
【００３８】
この第２実施形態では、トレイパネル１の左右２箇所にリブ８５を設けているだけであるので、第１実施形態の場合の上下４箇所のリブ８１を省略することが可能になってトレイパネル１に設けるリブの数が少なくなり、それだけトレイパネル１を容易に成形することができるようになるという利点がある。
【図面の簡単な説明】
【００３９】
【図１】第１実施形態に係るディスク装置のトレイパネルの後面図である。
【図２】要部の横断平面図である。
【図３】要部の縦断側面図である。
【図４】図２のＩＶ部拡大図である。
【図５】図３のＶ部拡大図である。
【図６】第１実施形態に係るディスク装置のトレイパネルの後面図である。
【図７】要部の横断平面図である。
【図８】図７のＶＩＩＩ−ＶＩＩＩ線に沿う部分の縦断側面図である。
【図９】図７のＩＸ部拡大図である。
【図１０】図８のＸ部拡大図である。
【図１１】開口を閉じているトレイパネルを示した部分正面図である。
【符号の説明】
【００４０】
１  トレイパネル
５  ディスクトレイ
７  位置規制部
８  傾斜案内面
３１  前面壁
３２  開口
３３  凹所
３４  奥壁部
３５  周壁部
３６  入隅部
７１  第１規制要素
７２  第２規制要素
７５  規制要素
７６  第１辺
７７  第２辺
８２  第１傾斜面
８４  第２傾斜面
８５  リブ
８６  第１傾斜面
８７  第２傾斜面
【図１】
2006134414.tif 000003
【図２】
2006134414.tif 000004
【図３】
2006134414.tif 000005
【図４】
2006134414.tif 000006
【図５】
2006134414.tif 000007
【図６】
2006134414.tif 000008
【図７】
2006134414.tif 000009
【図８】
2006134414.tif 000010
【図９】
2006134414.tif 000011
【図１０】
2006134414.tif 000012
【図１１】
2006134414.tif 000013